(57)【要約】【課題】      バケツ本体に巻き付けたロ−プをハンドルの挾持部で挾持して止めた釣り用水汲みバケツを提供することである。【解決手段】  バケツ本体１は折り畳むことができ、バケツ本体１にハンドル支持部５、５を介してハンドル２が取り付けられてハンドル２は、左右方向に延びる握持部２ａとこの握持部２ａの両端から下方へ垂下するように伸びる握持部２ａより細径に形成した軸部２ｂ、２ｂを有する合成樹脂製のコ字状に形成されている。  ハンドル２の握持部２ａにバケツ本体１を吊り下げて水を汲むためのロ−プ３の一端側が取り付けられ、握持部２ａ両端側には、ロ−プ３の差し込み口を有する溝からなる挾持部２ｄ、２ｄが、握持部２ａの上面側にはロ−プ３の位置ずれを防止する凹凸部２ｈが形成されている。【選択図】        図４
2006280284.tif 000002
【特許請求の範囲】
【請求項１】
折り畳み可能に形成したバケツ本体にハンドルを設け、該ハンドルにロ−プを取り付けると共に、前記ハンドルに前記ロ−プの挾持部を設けたことを特徴とする釣り用水汲みバケツ。
【請求項２】
ハンドルの握持部の上面側に凹凸部を形成したことを特徴とする請求項１記載の釣り用水汲みバケツ。
【請求項３】
挾持部は、ハンドルの握持部に設けたことを特徴とする請求項１または２記載の釣り用水汲みバケツ。
【発明の詳細な説明】
【技術分野】
【０００１】
本発明は、バケツ本体のハンドルにロ−プを取り付けると共にハンドルにロ−プの挾持部を設けた釣り用水汲みバケツの改良に関する。
【背景技術】
【０００２】
従来から折り畳み可能な釣り用バケツが用いられ、嵩張らずに持ち運びが出来て便利である。
しかし、釣り用バケツはそのまま折り畳み状態が維持できず広がってしまうと言う欠点があった。
このため無理に荷物の間に挟んで収納したり、例えば、特許文献１のように結束紐で縛って広がらないようにしていたがこのような結束紐を一緒に持ち運ぶのは不便で、バケツに巻き付けて縛る作業がやりにくかった。
一方特許文献２のように釣り用水汲みバケツは、ロ−プを有しているためバケツ本体に巻き付けておくことができた。
しかし、捲回したロ−プの端部はそのまま添えておくか、捲回したロ−プの下に挟んでおく程度であるためすぐに解けてしまうと言う欠点があった。
【特許文献１】特許第２９７５９５２号公報
【特許文献２】特開２０００−３５０５４５号公報
【発明の開示】
【発明が解決しようとする課題】
【０００３】
解決しようとする問題点は、特許文献１のようにバケツを折り畳んで結束紐で縛って広がらないようにすることは、結束紐を一緒に持ち運ぶので不便であり、折り畳んだバケツへの巻き付け作業がしにくい。
また、特許文献２のように釣り用水汲みバケツは、ロ−プを有しているためバケツ本体に巻き付けておくことはできたが捲回したロ−プの端部はそのまま添えておくか、捲回したロ−プの下に挟んでおく程度であるためすぐに解けてしまうことである。
【０００４】
本発明の目的は前記欠点に鑑み、バケツ本体に巻き付けたロ−プをハンドルの挾持部で挾持して止めた釣り用水汲みバケツを提供することである。
【課題を解決するための手段】
【０００５】
本発明の請求項１は、折り畳み可能に形成したバケツ本体にハンドルを設け、該ハンドルにロ−プを取り付けると共に、前記ハンドルに前記ロ−プの挾持部を設けたことを要旨とするものである。
本発明の請求項２は、ハンドルの握持部の上面側に凹凸部を形成したことを要旨とするものである。
本発明の請求項３は、挾持部は、ハンドルの握持部に設けたことを要旨とするものである。
【発明の効果】
【０００６】
本発明の請求項１により、折り畳んだバケツ本体にロ−プを捲回してハンドルの挾持部に挾持することで容易にバケツ本体の折り畳み状態を保持することができる。
本発明の請求項２により、折り畳んだバケツ本体に捲回したロ−プのずれをハンドルの握持部の凹凸部によって防止することができる。
本発明の請求項３により、折り畳んだバケツ本体に捲回したロ−プを挾持する挾持部をハンドルの握持部に設けたのでロ−プが容易に挾持できる。
【発明を実施するための最良の形態】
【０００７】
釣り用水汲みバケツは、バケツ本体１とバケツ本体１に取り付けたハンドル２とハンドル２に取り付けたロ−プ３を有している。
バケツ本体１は折り畳むことができる。
ハンドル２は、左右方向に延びる握持部２ａとこの握持部２ａの両端から下方へ垂下するように伸びる握持部２ａより細径に形成した軸部２ｂ、２ｂを有する合成樹脂製のコ字状ハンドル２の両端部２ｃ、２ｃ（軸部２ｂ、２ｂの下端部）が、それぞれハンドル支持部５、５に回動可能に枢着され、ハンドル２は起立及び倒伏可能になっている。
バケツ本体１の開口部１ａの対向位置にハンドル支持部５、５が設けられ、このハンドル支持部５、５にハンドル２が枢着されている。
ハンドル２の握持部２ａ上面側の左右（長手方向）の中央には、バケツ本体１を吊り下げて水を汲むためのロ−プ３の一端側が取り付けられ、また、ロ−プ３の他端側にはロ−プ３の巻き取り具６が取り付けられている。
ハンドル２の握持部２ａ両端側には、ロ−プ３の差し込み口を有する溝からなる挾持部２ｄ、２ｄが形成されている。
【０００８】
握持部２ａの左右両側にそれぞれ握持部２ａの両端部２ｅ、２ｅと向き合うように上方に向けて突出する突片２ｆ、２ｆが形成され、さらに、両端部２ｅ、２ｅに突片２ｆ、２ｆと向かい合う突起２ｇ、２ｇが形成されて、この突片２ｆ、２ｆと突起２ｇ、２ｇにより、奥になるにつれて幅が狭くなるＶ字状の切り欠き溝ａ、ａから成る挾持部２ｄ、２ｄが形成される。
挾持部２ｄ、２ｄのロ−プ３の差し込み口は上面側にあり、握持部２ａの両端部２ｅ、２ｅと突片２ｆ、２ｆは握持部２ａの長手方向に互いに向い合っている。
握持部２ａの両端部２ｅ、２ｅには対向する突片２ｆ、２ｆ側の挾持面βに向かって突出する突起２ｇ、２ｇが形成され、突起２ｇ、２ｇには突片２ｆ、２ｆの挾持面βと向かい合う挾持面αが形成されて、挾持面α、β間でロ−プ３が挾持され、挾持面αは挾持面βより幅が小さいため挾持部２ｄ、２ｄに差し込んだロ−プ３に食い込んでその移動を阻止するようになっている。
この突起２ｇ、２ｇは握持部２ａの両端部２ｅ、２ｅより幅狭に形成され、溝のロ−プ３の差し込み口から切り欠き溝ａの奥（底部）まで延びている。
また、握持部２ａの上面側には握持部２ａの長手方向を横切る方向のロ−プ幅よりも浅い溝が握持部２ａの長手方向に複数並設され、これによって握持部２ａの上面側は凹凸部２ｈが形成されている。
【実施例１】
【０００９】
以下、図示の実施例によって本発明を説明すると、図１から図４は第１実施例で、図１は釣り用水汲みバケツの断面側面図、図２はハンドルの要部拡大側面図、図３はハンドルの要部拡大断面平面図、図４は釣り用水汲みバケツ本体が折り畳まれてロ−プで捲回された斜視図である。
【００１０】
釣り用水汲みバケツは、バケツ本体１とバケツ本体１に取り付けたハンドル２とハンドル２に取り付けたロ−プ３を有している。
バケツ本体１は、折り曲げが可能な柔軟性を有する非透湿性の合成樹脂（ポリ塩化ビニ−ル、エチレン酢酸ビニ−ル、ポリエチレンなど）のシ−トで、上方に開口部１ａを有し底面部１ｂ及び側面部１ｃを有するように形成された平面視で四角形の容器体で、例えばその側面を折り曲げ、上下方向に潰すように底面部１ｂと開口部１ａを近づけて折り畳むことができる。
バケツ本体１の開口部１ａにはこれに沿って四角形の金属のフレ−ム４が取り付けられて補強されている。
フレ−ム４の外側をシ−トは内側から外側にフレ−ム４で折り返され、端部が開口部１ａの外側の容器壁に止着（縫着、溶着等）されて折り返し部１ｄとなっている。
【００１１】
ハンドル２は、左右方向に延びる握持部２ａとこの握持部２ａの両端から下方へ垂下するように伸びる握持部２ａより細径に形成した軸部２ｂ、２ｂを有する合成樹脂製のコ字状ハンドル２の両端部２ｃ、２ｃ（軸部２ｂ、２ｂの下端部）が、それぞれハンドル支持部５、５に回動可能に枢着され、ハンドル２は起立及び倒伏可能になっている。
バケツ本体１の開口部１ａの対向位置にハンドル支持部５、５が設けられ、このハンドル支持部５、５にハンドル２が枢着されている。
なお、ハンドル２は回動可能に枢着する他に、軸部２ｂ、２ｂが可撓性を有してバケツ本体１に固定され、屈曲させることで起立及び倒伏可能にしてもよい。
ハンドル２の握持部２ａ上面側の左右（長手方向）の中央には、バケツ本体１を吊り下げて水を汲むためのロ−プ３の一端側が取り付けられ、また、ロ−プ３の他端側にはロ−プ３の巻き取り具６が取り付けられている。
ハンドル２の握持部２ａ両端側には、ロ−プ３の差し込み口を有する溝からなる挾持部２ｄ、２ｄが形成されている。
【００１２】
挾持部２ｄ、２ｄは、握持部２ａの左右両側にそれぞれ握持部２ａの両端部２ｅ、２ｅと向き合うように上方に向けて突出する突片２ｆ、２ｆが形成され、さらに、両端部２ｅ、２ｅに突片２ｆ、２ｆと向かい合う突起２ｇ、２ｇが形成されて、この突片２ｆ、２ｆと突起２ｇ、２ｇにより、奥になるにつれて幅が狭くなるＶ字状の切り欠き溝ａ、ａから成る挾持部２ｄ、２ｄが形成される。
挾持部２ｄ、２ｄのロ−プ３の差し込み口は上面側にあり、握持部２ａの両端部２ｅ、２ｅと突片２ｆ、２ｆは握持部２ａの長手方向に互いに向い合っている。
握持部２ａの両端部２ｅ、２ｅには対向する突片２ｆ、２ｆ側の挾持面βに向かって突出する突起２ｇ、２ｇが形成され、突起２ｇ、２ｇには突片２ｆ、２ｆの挾持面βと向かい合う挾持面αが形成されて、挾持面α、β間でロ−プ３が挾持され、挾持面αは挾持面βより幅が小さいため挾持部２ｄ、２ｄに差し込んだロ−プ３に食い込んでその移動を阻止するようになっている。
この突起２ｇ、２ｇは握持部２ａの両端部２ｅ、２ｅより幅狭に形成され、溝のロ−プ３の差し込み口から切り欠き溝ａの奥（底部）まで延びている。
また、握持部２ａの上面側には握持部２ａの長手方向を横切る方向のロ−プ幅よりも浅い溝が握持部２ａの長手方向に複数並設され、これによって握持部２ａの上面側は凹凸部２ｈが形成されている。
【００１３】
この釣り用水汲みバケツの折り畳んだ状態を保持するためには、バケツ本体１を折り畳んで、ハンドル２を倒伏させ、ハンドル２の握持部２ａが開口部１ａに並設された状態とし、ロ−プ３をハンドル２と共にバケツ本体１の外側に巻き付け（好ましくは複数周巻き付ける）、ハンドル２の挾持部２ｄにロ−プ３を差し込んで挾持しバケツ本体１の折り畳み状態を保持する。
この時、バケツ本体１の外側に巻き付けられたロ−プ３は、ハンドル２の握持部２ａと交差するように握持部２ａ上を通って巻き付けられ握持部２ａの上面側の凹凸部２ｈの溝に入って、この溝に沿って巻き付けられるため左右にずれる等により緩むことが防止される。
この凹凸部２ｈは溝状に形成されていなくとも、ロ−プ３のずれを防止する凹凸が設けられていれば他の構成でもよい。
【００１４】
前記のように釣り用水汲みバケツが構成されると、折り畳んだバケツ本体１にロ−プ３を捲回してハンドル２の挾持部２ｄに挾持することで容易にバケツ本体１の折り畳み状態を保持することがたできる。
折り畳んだバケツ本体１に捲回したロ−プ３のずれをハンドルの握持部２ａの凹凸部２ｈによって防止することができる。
折り畳んだバケツ本体１に捲回したロ−プ３を挾持する挾持部２ｄがハンドル２の握持の邪魔にならないようにできる。
【実施例２】
【００１５】
図５は第２実施例で、図５は釣り用水汲みバケツのハンドルの要部拡大側面図である。
【００１６】
第２実施例では、ハンドル２の握持部２ａの凹凸部２ｈを形成する溝のうち握持部２ａの両端側の溝を他の溝より深くしてロ−プ３の挾持が可能な挾持面α1 、β1 を有する挾持部２ｉとすることもできる。
他の構成は前記第１実施例と略同一である。
【産業上の利用可能性】
【００１７】
本発明は釣り用水汲みバケツ全般に利用できる。
【図面の簡単な説明】
【００１８】
【図１】第１実施例で、釣り用水汲みバケツの断面側面図である。
【図２】同ハンドルの要部拡大側面図である。
【図３】同ハンドルの要部拡大断面平面図である。
【図４】同釣り用水汲みバケツ本体が折り畳まれてロ−プで捲回された斜視図である。
【図５】第２実施例で、釣り用水汲みバケツのハンドルの要部拡大側面図である。
【符号の説明】
【００１９】
１  バケツ本体
２  ハンドル
２ａ  握持部
２ｄ、２ｉ  挾持部
２ｈ  凹凸部
３  ロ−プ
【図１】
2006280284.tif 000003
【図２】
2006280284.tif 000004
【図３】
2006280284.tif 000005
【図４】
2006280284.tif 000006
【図５】
2006280284.tif 000007